(57)【特許請求の範囲】
【請求項１】
ｎ個以上のコンテンツを管理し且つ記憶手段を有するサーバ装置がクライアント装置にｎ個のコンテンツを表示させるコンテンツ表示方法であって、
前記サーバ装置が、前記ｎ個以上のコンテンツの各々が閲覧された履歴を示す履歴データを前記記憶手段に更新保存する工程と、
前記サーバ装置が、前記履歴データに基づいて、前記ｎ個以上のコンテンツの各々のファイル名と、当該ｎ個以上のコンテンツの各々が閲覧された度合を示す閲覧指標とが関連付けられた閲覧情報を前記記憶手段に更新保存する工程と、
前記サーバ装置が、前記表示のためのデータ取得要求を前記クライアント装置から受信する要求受信工程と、
前記サーバ装置が、前記受信したデータ取得要求と、前記閲覧情報とに基づいて、前記閲覧指標の大きい順に少なくとも１個のコンテンツを取得すると共に、当該少なくとも１個のコンテンツを含むＷｅｂページを作成する工程と、
前記サーバ装置が、前記作成したＷｅｂページを前記クライアント装置に送信することにより、当該Ｗｅｂページに基づいて、当該Ｗｅｂページ内の少なくとも１個のコンテンツを含む画面を前記クライアント装置に表示させる第１応答工程と、
前記サーバ装置が、前記閲覧指標の大きい順に、未取得のコンテンツを取得すると共に、当該コンテンツを更に含むように前記画面を前記クライアント装置に更新表示させる第２応答工程と、
を備えたことを特徴とするコンテンツ表示方法。
【請求項２】
請求項１に記載のコンテンツ表示方法において、
前記閲覧指標は、前記コンテンツが閲覧された回数を示すページビュー（ＰＶ）、前記コンテンツを閲覧したユーザの数を示すユニークユーザ（ＵＵ）、前記コンテンツを閲覧した１日当たりのユーザの数を示すデイリーアクティブユーザ（ＤＡＵ）、又は、前記コンテンツを閲覧した１週間当たりのユーザの数を示すウイークリーアクティブユーザ（ＷＡＵ）であることを特徴とするコンテンツ表示方法。
【請求項３】
請求項１に記載のコンテンツ表示方法において、
前記履歴データは、前記ｎ個以上のコンテンツの各々のファイル名と、前記クライアント装置を識別又は当該クライアント装置のユーザを識別するユーザ識別情報と、を含んでおり、
前記閲覧情報は、前記ユーザ識別情報が前記各々のファイル名及び前記閲覧指標に関連付けられており、
前記Ｗｅｂページを作成する工程は、
前記サーバ装置が、前記受信したデータ取得要求と、前記閲覧情報とに基づいて、前記閲覧情報内のユーザ識別情報のうち、前記データ取得要求に含まれるユーザ識別情報に一致する当該閲覧情報内のユーザ識別情報に関連付けられた前記閲覧指標のうち、最も大きい前記閲覧指標に関連付けられたコンテンツを含む少なくとも１個のコンテンツを取得する工程と、
前記サーバ装置が、前記取得したコンテンツと、当該コンテンツ以外で、前記一致する当該閲覧情報内のユーザ識別情報に関連付けられた前記閲覧指標の大きい順にコンテンツのファイル名とを含むＷｅｂページを作成する工程と、
を含んでいることを特徴とするコンテンツ表示方法。
【請求項４】
ｎ個以上のコンテンツを管理し且つ記憶手段を有するサーバ装置がクライアント装置にｎ個のコンテンツを表示させるコンテンツ表示方法であって、
前記サーバ装置が、前記ｎ個以上のコンテンツの各々のファイル名と、当該ｎ個以上のコンテンツの各々が閲覧された日時を示す閲覧日時と、前記クライアント装置を識別又は当該クライアント装置のユーザを識別するユーザ識別情報と、を含む履歴データを前記記憶手段に更新保存する工程と、
前記サーバ装置が、前記表示のためのデータ取得要求を前記クライアント装置から受信する要求受信工程と、
前記サーバ装置が、前記受信したデータ取得要求と、前記履歴データとに基づいて、前記履歴データ内のユーザ識別情報のうち、前記データ取得要求に含まれるユーザ識別情報に一致する当該履歴データ内のユーザ識別情報に関連付けられた前記閲覧日時のうち、最も新しい前記閲覧日時に関連付けられたコンテンツを含む少なくとも１個のコンテンツを取得する工程と、
前記サーバ装置が、前記取得した少なくとも１個のコンテンツを含むＷｅｂページを作成する工程と、
前記サーバ装置が、前記作成したＷｅｂページを前記クライアント装置に送信することにより、当該Ｗｅｂページに基づいて、当該Ｗｅｂページ内の少なくとも１個のコンテンツを含む画面を前記クライアント装置に表示させる第１応答工程と、
前記サーバ装置が、前記閲覧日時の新しい順に、未取得のコンテンツを取得すると共に、当該コンテンツを更に含むように前記画面を前記クライアント装置に更新表示させる第２応答工程と、
を備えたことを特徴とするコンテンツ表示方法。
【請求項５】
ｎ個以上のコンテンツを管理するサーバ装置が、記憶手段を有するクライアント装置にｎ個のコンテンツを表示させるコンテンツ表示方法であって、
前記クライアント装置が、前記ｎ個以上のコンテンツの各々を閲覧した履歴を示す履歴データを前記記憶手段に更新保存する工程と、
前記クライアント装置が、前記履歴データに基づいて、前記閲覧した各コンテンツのファイル名と、当該各コンテンツを閲覧した度合を示す閲覧指標とを関連付けた閲覧情報を前記記憶手段に更新保存する工程と、
前記クライアント装置が、前記閲覧指標の大きい順にｎ個のコンテンツのファイル名を含むデータ取得要求を作成すると共に、当該データ取得要求を前記サーバ装置に送信する工程と、
前記サーバ装置が、前記データ取得要求を前記クライアント装置から受信する要求受信工程と、
前記サーバ装置が、前記受信したデータ取得要求に基づいて、前記閲覧指標の大きい順に少なくとも１個のコンテンツを取得すると共に、当該少なくとも１個のコンテンツを含むＷｅｂページを作成する工程と、
前記サーバ装置が、前記作成したＷｅｂページを前記クライアント装置に送信することにより、当該Ｗｅｂページに基づいて、当該Ｗｅｂページ内の少なくとも１個のコンテンツを含む画面を前記クライアント装置に表示させる第１応答工程と、
前記サーバ装置が、前記閲覧指標の大きい順に、未取得のコンテンツを取得すると共に、当該コンテンツを更に含むように前記画面を前記クライアント装置に更新表示させる第２応答工程と、
を備えたことを特徴とするコンテンツ表示方法。
【請求項６】
ｎ個以上のコンテンツを管理するサーバ装置が、記憶手段を有するクライアント装置にｎ個のコンテンツを表示させるコンテンツ表示方法であって、
前記クライアント装置が、前記ｎ個以上のコンテンツの各々が閲覧された日時を示す閲覧日時と、前記閲覧された各コンテンツのファイル名と、を含む履歴データを前記記憶手段に更新保存する工程と、
前記クライアント装置が、前記閲覧日時の新しい順にｎ個のコンテンツのファイル名を含むデータ取得要求を作成すると共に、当該データ取得要求を前記サーバ装置に送信する工程と、
前記サーバ装置が、前記データ取得要求を前記クライアント装置から受信する要求受信工程と、
前記サーバ装置が、前記受信したデータ取得要求に基づいて、前記閲覧日時のうち、最も大きい前記閲覧指標に関連付けられたコンテンツを含む少なくとも１個のコンテンツを取得する工程と、
前記サーバ装置が、前記取得した少なくとも１個のコンテンツを含むＷｅｂページを作成する工程と、
前記サーバ装置が、前記作成したＷｅｂページを前記クライアント装置に送信することにより、当該Ｗｅｂページに基づいて、当該Ｗｅｂページ内の少なくとも１個のコンテンツを含む画面を前記クライアント装置に表示させる第１応答工程と、
前記サーバ装置が、前記閲覧日時の新しい順に、未取得のコンテンツを取得すると共に、当該コンテンツを更に含むように前記画面を前記クライアント装置に更新表示させる第２応答工程と、
を備えたことを特徴とするコンテンツ表示方法。
【請求項７】
ｎ個以上のコンテンツを管理し且つ記憶手段を有し、クライアント装置にｎ個のコンテンツを表示させるサーバ装置であって、
前記ｎ個以上のコンテンツの各々が閲覧された履歴を示す履歴データを前記記憶手段に更新保存する履歴データ更新手段と、
前記履歴データに基づいて、前記ｎ個以上のコンテンツの各々のファイル名と、当該ｎ個以上のコンテンツの各々が閲覧された度合を示す閲覧指標とが関連付けられた閲覧情報を前記記憶手段に更新保存する閲覧情報更新手段と、
前記表示のためのデータ取得要求を前記クライアント装置から受信する要求受信手段と、
前記受信したデータ取得要求と、前記閲覧情報とに基づいて、前記閲覧指標の大きい順に少なくとも１個のコンテンツを取得すると共に、当該少なくとも１個のコンテンツを含むＷｅｂページを作成する作成手段と、
前記作成したＷｅｂページを前記クライアント装置に送信することにより、当該Ｗｅｂページに基づいて、当該Ｗｅｂページ内の少なくとも１個のコンテンツを含む画面を前記クライアント装置に表示させる第１応答手段と、
前記閲覧指標の大きい順に、未取得のコンテンツを取得すると共に、当該コンテンツを更に含むように前記画面を前記クライアント装置に更新表示させる第２応答手段と、
を備えたことを特徴とするサーバ装置。
【請求項８】
ｎ個以上のコンテンツを管理し且つ記憶手段を有し、クライアント装置にｎ個のコンテンツを表示させるサーバ装置に用いられるプログラムであって、
前記サーバ装置を、
前記ｎ個以上のコンテンツの各々が閲覧された履歴を示す履歴データを前記記憶手段に更新保存する履歴データ更新手段、
前記履歴データに基づいて、前記ｎ個以上のコンテンツの各々のファイル名と、当該ｎ個以上のコンテンツの各々が閲覧された度合を示す閲覧指標とが関連付けられた閲覧情報を前記記憶手段に更新保存する閲覧情報更新手段、
前記表示のためのデータ取得要求を前記クライアント装置から受信する要求受信手段、
前記受信したデータ取得要求と、前記閲覧情報とに基づいて、前記閲覧指標の大きい順に少なくとも１個のコンテンツを取得すると共に、当該少なくとも１個のコンテンツを含むＷｅｂページを作成する作成手段、
前記作成したＷｅｂページを前記クライアント装置に送信することにより、当該Ｗｅｂページに基づいて、当該Ｗｅｂページ内の少なくとも１個のコンテンツを含む画面を前記クライアント装置に表示させる第１応答手段、
前記閲覧指標の大きい順に、未取得のコンテンツを取得すると共に、当該コンテンツを更に含むように前記画面を前記クライアント装置に更新表示させる第２応答手段、
として機能させるためのプログラム。
【請求項９】
請求項８に記載のプログラムを記憶したコンピュータ読み取り可能な記憶媒体。
【発明の詳細な説明】
【技術分野】
【０００１】
本発明は、コンテンツ表示方法、サーバ装置、プログラム及び記憶媒体に関する。
【背景技術】
【０００２】
近年、ゲーム等の複数のコンテンツと、所定の各コンテンツを表示させるためのＷｅｂページとを保存したサーバ装置からクライアント装置が当該Ｗｅｂページ及び各コンテンツを取得して表示するコンテンツ表示方法が知られている。
【０００３】
図１２はこの種のコンテンツ表示方法を説明するための模式図である。クライアント装置１は、ユーザＵの操作により、画面ＡのＵＲＬ（uniform resource locator）が入力されると、当該ＵＲＬを含むリクエストをサーバ装置２に送信する。この後、クライアント装置１は、読出中であることを示すローディング画面を表示する。
【０００４】
サーバ装置２は、クライアント装置１からリクエストを受けると、リクエスト内のＵＲＬに基づいて、画面ＡのＷｅｂページを読出す。Ｗｅｂページの一部には、上の行から順に、各コンテンツａ〜ｅのファイル名が個別に記述されている。
【０００５】
サーバ装置２は、当該Ｗｅｂページに記述されたコンテンツａのファイル名に基づいてコンテンツａを取得する処理（コンテンツａ処理）を実行する。以下同様に、サーバ装置２は、順次、コンテンツｂ〜ｅ処理を実行する。
【０００６】
これにより、サーバ装置２は、画面ＡのＷｅｂページに記述された全てのコンテンツａ〜ｅを取得する。
【０００７】
しかる後、サーバ装置２は、当該Ｗｅｂページと、全てのコンテンツａ〜ｅとを含むレスポンスをクライアント装置１に返信する。
【０００８】
クライアント装置１は、このレスポンスを受けると、ローディング画面の表示を中止し、当該レスポンス内のＷｅｂページに基づいて、全てのコンテンツａ〜ｅを含む画面Ａを表示する。
【０００９】
しかしながら、このようにクライアント装置１とサーバ装置２とが同期する表示方法は、画面Ａに対する１つのリクエストを送信し、画面Ａに対する１つのレスポンスを返信する方式であるため、画面Ａのレスポンスに全てのコンテンツａ〜ｅを含める必要がある。このため、画面Ａに多種類のコンテンツａ，ｂ，…が含まれる場合、画面Ａの表示完了が遅くなってしまう。
【００１０】
これに対し、図１３に示すように、画面Ａ内のコンテンツ単位でロードを行い、画面Ａ内の各コンテンツａ〜ｅを上から順次増加させるように、画面Ａ内の表示を動的に更新する非同期型のコンテンツ表示方法が知られている。
【００１１】
非同期型のコンテンツ表示方法によれば、上から順に各コンテンツａ〜ｅが表示されていくため、Ｗｅｂページの一部が表示されるまでのユーザの待ち時間を短縮できる。
【００１２】
このような非同期型のコンテンツ表示方法には、例えば、Ａｊａｘ（Asynchronous JavaScript（登録商標） ＋ XML）の技術が使用可能となっている（例えば、非特許文献１参照）。
【先行技術文献】
【非特許文献】
【００１３】
【非特許文献１】藤本壱著、「これだけは知っておきたいＷｅｂアプリケーションの常識」、初版、株式会社技術評論社、平成２０年４月２５日、ｐ．１４５−１４８
【発明の概要】
【発明が解決しようとする課題】
【００１４】
しかしながら、以上のようなコンテンツ表示方法は、通常は何の問題もないが、本発明者の検討によれば、以下の点で改良の余地がある。
【００１５】
すなわち、ユーザは、所定の各コンテンツではなく、人気のある各コンテンツ又は、ユーザの嗜好性がより強いコンテンツをあまり待たずに表示させたい要望がある。また、人気のある各コンテンツおよびユーザが求める各コンテンツは変わることが多い。このため、コンテンツ表示方法としては、所定の各コンテンツではなく、現在の人気もしくはユーザの嗜好に応じた各コンテンツを非同期に表示する方式が望ましい。
【００１６】
一方、従来のコンテンツ表示方法は、そのような方式に対応していない。よって、従来のコンテンツ表示方法は、各コンテンツの人気又は、ユーザの嗜好に応じて、各コンテンツを非同期に表示できない点で改良の余地がある。
【００１７】
本発明は上記実情を考慮してなされたもので、各コンテンツの人気に応じて、各コンテンツを非同期に表示し得るコンテンツ表示方法、サーバ装置、プログラム及び記憶媒体を提供することを目的とする。
【００１８】
また、本発明の他の目的は、ユーザの嗜好に応じて、各コンテンツを非同期に表示し得るコンテンツ表示方法を提供することにある。
【課題を解決するための手段】
【００１９】
本発明の一つの局面は、ｎ個以上のコンテンツを管理し且つ記憶手段を有するサーバ装置がクライアント装置にｎ個のコンテンツを表示させるコンテンツ表示方法であって、前記サーバ装置が、前記ｎ個以上のコンテンツの各々が閲覧された履歴を示す履歴データを前記記憶手段に更新保存する工程と、前記サーバ装置が、前記履歴データに基づいて、前記ｎ個以上のコンテンツの各々のファイル名と、当該ｎ個以上のコンテンツの各々が閲覧された度合を示す閲覧指標とが関連付けられた閲覧情報を前記記憶手段に更新保存する工程と、前記サーバ装置が、前記表示のためのデータ取得要求を前記クライアント装置から受信する第１要求受信工程と、前記サーバ装置が、前記受信したデータ取得要求と、前記閲覧情報とに基づいて、前記閲覧指標の大きい順にｎ個のコンテンツのファイル名を含むＷｅｂページを作成すると共に、最も大きい前記閲覧指標に関連付けられた１個のコンテンツを取得する工程と、前記サーバ装置が、前記作成したＷｅｂページ及び前記取得した１個のコンテンツを前記クライアント装置に応答することにより、当該Ｗｅｂページに基づいて、当該１個のコンテンツを含む画面を前記クライアント装置に表示させる第１応答工程と、前記サーバ装置が、前記応答したＷｅｂページ内の各ファイル名のうち、前記閲覧指標の大きい順に、未取得のコンテンツの１個のファイル名を含むコンテンツ取得要求を前記クライアント装置から受信する第２要求受信工程と、前記サーバ装置が、前記コンテンツ取得要求内のファイル名に基づいて１個のコンテンツを取得すると共に、当該１個のコンテンツを前記クライアント装置に応答することにより、当該１個のコンテンツを更に含むように前記画面を前記クライアント装置に更新表示させる第２応答工程と、前記サーバ装置が、前記閲覧指標の大きい順にｎ個のコンテンツを含むように前記画面が更新表示されるまで、前記第２要求受信工程及び前記第２応答工程を繰り返し実行する工程と、を備えたコンテンツ表示方法である。
【００２０】
本発明の他の局面は、上述したコンテンツ表示方法において、前記履歴データとしては、前記ｎ個以上のコンテンツの各々のファイル名と、前記クライアント装置を識別又は当該クライアント装置のユーザを識別するユーザ識別情報と、を含んでおり、前記閲覧情報としては、前記ユーザ識別情報が前記各々のファイル名及び前記閲覧指標に関連付けられており、前記コンテンツを取得する工程としては、前記サーバ装置が、前記受信したデータ取得要求と、前記閲覧情報とに基づいて、前記閲覧情報内のユーザ識別情報のうち、前記データ取得要求に含まれるユーザ識別情報に一致する当該閲覧情報内のユーザ識別情報に関連付けられた前記閲覧指標の大きい順にｎ個のコンテンツのファイル名を含むＷｅｂページを作成する工程と、前記サーバ装置が、前記一致する当該閲覧情報内のユーザ識別情報に関連付けられた前記閲覧指標のうち、最も大きい前記閲覧指標に関連付けられた１個のコンテンツを取得する工程と、を含んでいるコンテンツ表示方法である。
【発明の効果】
【００２１】
以上説明したように本発明によれば、各コンテンツの人気に応じて、各コンテンツを非同期に表示することができる。あるいは、ユーザの嗜好に応じて、各コンテンツを非同期に表示することができる。
【図面の簡単な説明】
【００２２】
【図１】本発明の第１の実施形態に係るコンテンツ表示方法が適用されたクライアントサーバシステムの構成を示す模式図である。
【図２】同実施形態における閲覧情報の一例を示す模式図である。
【図３】同実施形態におけるコンテンツ表示方法を説明するためのフローチャートである。
【図４】同実施形態におけるコンテンツ表示方法を説明するための模式図である。
【図５】本発明の第２の実施形態に係るコンテンツ表示方法に適用された閲覧情報の一例を示す模式図である。
【図６】同実施形態におけるコンテンツ表示方法を説明するためのフローチャートである。
【図７】本発明の第３の実施形態に係るコンテンツ表示方法を説明するためのフローチャートである。
【図８】本発明の第４の実施形態に係るコンテンツ表示方法が適用されたクライアントサーバシステムの構成を示す模式図である。
【図９】同実施形態における閲覧情報の一例を示す模式図である。
【図１０】同実施形態におけるコンテンツ表示方法を説明するためのフローチャートである。
【図１１】本発明の第５の実施形態に係るコンテンツ表示方法を説明するためのフローチャートである。
【図１２】従来のコンテンツ表示方法を説明するための模式図である。
【図１３】従来の他のコンテンツ表示方法を説明するための模式図である。
【発明を実施するための形態】
【００２３】
以下、本発明の各実施形態について図面を用いて説明する。なお、以下の各装置は、それぞれハードウェア構成、又はハードウェア資源とソフトウェアとの組合せ構成のいずれでも実施可能となっている。組合せ構成のソフトウェアとしては、予めネットワーク又は記憶媒体から各装置のコンピュータにインストールされ、対応する装置の機能を実現させるためのプログラムが用いられる。
【００２４】
＜第１の実施形態＞
図１は本発明の第１の実施形態に係るコンテンツ表示方法が適用されたクライアントサーバシステムの構成を示す模式図であり、図２は同方法に用いられる閲覧情報の一例を示す模式図である。
【００２５】
なお、このコンテンツ表示方法は、ｎ個以上のコンテンツを管理し且つ記憶部２１を有するサーバ装置２０がクライアント装置１にｎ個のコンテンツを表示させる方法である。
【００２６】
また、クライアントサーバシステムは、クライアント装置１及びサーバ装置２０を備えている。クライアント装置１は、任意の複数台が存在するが、ここでは１台を代表例として示している。各装置１，２０は、コンピュータネットワーク３０及び移動通信網４０を介して互いに通信可能である。
【００２７】
コンピュータネットワーク３０は、コンピュータ同士の通信を可能とするネットワークであれば任意のものが適用可能であり、ここではインターネットを用いている。
【００２８】
移動通信網４０は、携帯電話、スマートフォン及びタブレット端末等の携帯通信装置としてのコンピュータの通信を可能とするものであれば任意のものが適用可能である。
【００２９】
クライアント装置１としては、例えば、ｉＯＳ等のＯＳ（operating system）を用いたｉＰａｄ（登録商標）等のタブレット端末、又は、Ａｎｄｒｏｉｄ（登録商標）等のＯＳを用いたスマートフォンなどが適宜、使用可能となっている。
【００３０】
なお、クライアント装置１は、この例では携帯通信装置としたが、これに限らず、デスクトップ型のパーソナルコンピュータの如き、据置型のコンピュータであってもよい。
【００３１】
すなわち、クライアント装置１は、Ｗｅｂブラウザのプログラムを格納するメモリと、当該プログラムを実行するプロセッサとを有し、サーバ装置２０に通信可能なコンピュータであればよい。
【００３２】
ここで、サーバ装置２０は、記憶部２１、閲覧情報更新部２２及び応答処理部２３を備えている。
【００３３】
記憶部２１は、各部２２，２３から読出／書込可能な記憶装置であり、ｎ個以上のコンテンツ、履歴データ及び閲覧情報２１ａを記憶する。
【００３４】
ｎ個以上のコンテンツは、例えば、ゲーム等のコンテンツである。ｎは、１ページのＷｅｂページに表示される人気のあるコンテンツの個数である。ｎの下限は、本実施形態が非同期通信を用いるために１にはならず、２である。ｎの上限は、Ｗｅｂページが人気のあるコンテンツを表示するために過大な値にはならず、例えば３０である。すなわち、ｎは、例えば２以上３０以下の範囲内にある。また通常、ｎの値は、２，３，５，１０，２０又は３０である。これらのｎの値は、ベスト２、ベスト３、ベスト５、ベスト１０、ベスト２０及びベスト３０等のように、ベストｎという表現に通常用いられるｎの値を例示したものである。これらのｎの上限及びｎの値は、例示した上限及び値に限らず、任意の上限及び値が使用可能である。なお、記憶部２１は、ｎ個以上のコンテンツを記憶するので、ｎ個でもよいが、通常、ｎ個より格段に多いｍ個のコンテンツを記憶している。
【００３５】
履歴データは、ｎ個以上のコンテンツの各々が閲覧された履歴を示すデータであり、閲覧情報更新部２２により記憶部２１に更新保存される。履歴データは、例えば、コンテンツのファイル名と、当該コンテンツの閲覧日時（送信日時）とを含んでおり、更に、閲覧したユーザを識別するユーザ識別情報（例、ＩＰアドレス、アカウント情報など）を含んでいてもよい。
【００３６】
閲覧情報２１ａは、図２に一例を示すように、ｎ個以上のコンテンツの各々のファイル名と、当該ｎ個以上のコンテンツの各々が閲覧された度合を示す閲覧指標とが関連付けられた情報であり、閲覧情報更新部２２により記憶部２１に更新保存される。なお、人気が高いほど閲覧される度合が増加するので、閲覧指標はコンテンツの人気に応じた値でもある。また、図２に示した閲覧情報２１ａはｎ＝５の例であり、５個以上のコンテンツの各々のファイル名と、閲覧指標とが関連付けられている。また、図２に示す閲覧情報２１ａは、理解を容易にする趣旨で閲覧順位を更に関連付けているが、閲覧順位は省略してもよい。また、閲覧順位は、閲覧指標の大きい順序を示している。このため、閲覧指標を省略しない場合、後述する「閲覧指標の大きい順に」は、「閲覧順位の高い順に」と読み替えることが可能である。
【００３７】
閲覧指標としては、例えば、コンテンツが閲覧された回数を示すページビュー（ＰＶ）、コンテンツを閲覧したユーザの数を示すユニークユーザ（ＵＵ）、コンテンツを閲覧した１日当たりのユーザの数を示すデイリーアクティブユーザ（ＤＡＵ）、又は、コンテンツを閲覧した１週間当たりのユーザの数を示すウイークリーアクティブユーザ（ＷＡＵ）等が適宜、使用可能となっている。
【００３８】
なお、閲覧指標がＰＶの場合、履歴データからユーザ識別情報を省略してもよい。また、閲覧指標がＵＵ、ＤＡＵ又はＷＡＵの場合、履歴データにはユーザ識別情報が含まれる。
【００３９】
閲覧情報更新部２２は、例えば以下の各機能(f22-1)〜(f22-2)をもっている。
【００４０】
(f22-1)  ｎ個以上のコンテンツの各々が閲覧された履歴を示す履歴データを記憶部２１に更新保存する履歴データ更新機能。
【００４１】
(f22-2)  当該履歴データに基づいて、当該ｎ個以上のコンテンツの各々のファイル名と、当該ｎ個以上のコンテンツの各々が閲覧された度合を示す閲覧指標とが関連付けられた閲覧情報２１ａを記憶部２１に更新保存する閲覧情報更新機能。
【００４２】
応答処理部２３は、例えば以下の各機能(f23-1)〜(f23-6)をもっている。
【００４３】
(f23-1)  表示のためのデータ取得要求をクライアント装置１から受信する第１要求受信機能。
【００４４】
(f23-2)  当該受信したデータ取得要求と、閲覧情報２１ａとに基づいて、閲覧指標の大きい順にｎ個のコンテンツのファイル名を含むＷｅｂページを作成すると共に、最も大きい閲覧指標に関連付けられた１個のコンテンツを取得する取得機能。
【００４５】
(f23-3)  当該作成したＷｅｂページ及び当該取得した１個のコンテンツをクライアント装置１に応答することにより、当該Ｗｅｂページに基づいて、当該１個のコンテンツを含む画面を当該クライアント装置１に表示させる第１応答機能。
【００４６】
(f23-4)  当該応答したＷｅｂページ内の各ファイル名のうち、閲覧指標の大きい順に、未取得のコンテンツの１個のファイル名を含むコンテンツ取得要求をクライアント装置１から受信する第２要求受信機能。
【００４７】
(f23-5)  当該コンテンツ取得要求内のファイル名に基づいて１個のコンテンツを取得すると共に、当該１個のコンテンツをクライアント装置１に応答することにより、当該１個のコンテンツを更に含むように画面をクライアント装置１に更新表示させる第２応答機能。
【００４８】
(f23-6)  閲覧指標の大きい順にｎ個のコンテンツを含むように当該画面が更新表示されるまで、第２要求受信機能(f23-4)及び第２応答機能(f23-5)を繰り返し実行するように制御する制御機能。
【００４９】
このような閲覧情報更新部２２及び応答処理部２３は、例えば、図示しないＣＰＵ（central processing unit）が、後述するサーバ装置２０内の各ステップを含むプログラムを実行することにより実現してもよい。これは以下の各実施形態でも同様である。
【００５０】
次に、以上のように構成されたクライアントサーバシステムによるコンテンツ表示方法について図３のフローチャート及び図４の模式図を用いて説明する。
【００５１】
始めに、サーバ装置２０においては、クライアント装置１及び他のクライアント装置（図示せず）に対し、記憶部２１内のｎ個以上のコンテンツをＷｅｂページ上で公開している。これらのクライアント装置は、適宜、サーバ装置２０のＷｅｂページにアクセスして各コンテンツを閲覧可能となっている。
【００５２】
サーバ装置２０では、図３に示すように、閲覧情報更新部２２が、ｎ個以上のコンテンツの各々が閲覧された履歴を示す履歴データを記憶部２１に更新保存する（ＳＴ１）。なお、この履歴データは、多くの場合、クライアント装置１とは異なる他のクライアント装置（図示せず）から各コンテンツが閲覧された履歴を示している。
【００５３】
また、閲覧情報更新部２２は、履歴データに基づいて、ｎ個以上のコンテンツの各々のファイル名と、当該ｎ個以上のコンテンツの各々が閲覧された度合を示す閲覧指標とが関連付けられた閲覧情報２１ａを記憶部２１に更新保存する（ＳＴ２）。
【００５４】
閲覧指標としては、例えば、ページビュー（ＰＶ）、ユニークユーザ（ＵＵ）、デイリーアクティブユーザ（ＤＡＵ）又はウイークリーアクティブユーザ（ＷＡＵ）が用いられる。なお、このような閲覧指標の計測には、例えば、各コンテンツへのアクセス回数をカウントするアクセスカウンタを用いてもよい。この種のアクセスカウンタとしては、同一アドレス（ユーザ識別情報）を除外する機能をもつものと、当該機能を持たないものとを、適宜、閲覧指標の定義（例、ＰＶ、ＵＵ、ＤＡＵ又はＷＡＵの定義）に応じて用いればよい。
【００５５】
いずれにしても、履歴データ及び閲覧情報２１ａが更新保存されている状態で、クライアント装置１では、図４に示すように、ユーザＵの操作により、画面ＡのＵＲＬが入力されたとする。
【００５６】
このとき、クライアント装置１は、当該ＵＲＬを含むリクエストをサーバ装置２に送信する。この後、クライアント装置１は、読出中であることを示すローディング画面を表示する。なお、画面ＡのＵＲＬを含むリクエストは、画面Ａの表示のためのデータ取得要求に相当する。
【００５７】
サーバ装置２０では、図３及び図４に示すように、応答処理部２３が、当該表示のためのデータ取得要求をクライアント装置１から受信する（ＳＴ３）。
【００５８】
応答処理部２３は、当該受信したデータ取得要求と、閲覧情報２１ａとに基づいて、閲覧指標の大きい順にｎ（＝５）個のコンテンツａ〜ｅのファイル名を含むＷｅｂページを作成すると共に、最も大きい閲覧指標に関連付けられた１個のコンテンツａを取得する（ＳＴ４）。なお、ｎ＝５は一例であり、これに限定されない。
【００５９】
応答処理部２３は、当該作成したＷｅｂページ及び当該取得した１個のコンテンツａをクライアント装置１に応答（レスポンス）することにより、当該Ｗｅｂページに基づいて、当該１個のコンテンツａを含む画面Ａをクライアント装置１に表示させる（ＳＴ５）。
【００６０】
なお、ステップＳＴ４〜ＳＴ５の処理は、互いに別ファイルのＷｅｂページ及びコンテンツａを応答する場合であるが、これに限らず、コンテンツａを含むＷｅｂページのファイルを応答する場合に変形してもよい。
【００６１】
この場合、ステップＳＴ４では、例えば、予めＨＴＭＬ（hypertext markup language）のコードの一部にscriptタグを記述したＷｅｂページのテンプレートを記憶部２１に記憶しておき、当該scriptタグにより囲まれる位置にコンテンツａのJavaScriptのコードを挿入してＷｅｂページを作成し、ステップＳＴ５では、ステップＳＴ４で作成されたＷｅｂページ（コンテンツａのコードとコンテンツｂ〜ｅのファイル名とを含むＷｅｂページ）を応答すればよい。このようなステップＳＴ４〜ＳＴ５の変形例は、以下の各実施形態でも同様に実施できる。但し、ステップＳＴ４〜ＳＴ５の処理は、変形しない方が迅速に応答できるため、ここでは変形していない。
【００６２】
いずれにしても、応答処理部２３は、当該応答したＷｅｂページ内の各ファイル名のうち、閲覧指標の大きい順に、未取得のコンテンツの１個のファイル名を含むコンテンツ取得要求をクライアント装置１から受信する（ＳＴ６）。
【００６３】
応答処理部２３は、このコンテンツ取得要求内のファイル名に基づいて１個のコンテンツを取得すると共に、当該１個のコンテンツをクライアント装置１に応答することにより、当該１個のコンテンツを更に含むように画面Ａをクライアント装置１に更新表示させる（ＳＴ７）。
【００６４】
応答処理部２３は、閲覧指標の大きい順にｎ（＝５）個のコンテンツを含むように画面Ａが更新表示されるまで、ステップＳＴ６〜ＳＴ７を繰り返し実行する（ＳＴ８）。
【００６５】
以上により、クライアント装置１では、閲覧指標の大きい順に５個のコンテンツａ〜ｅを含むように画面Ａが更新表示される。
【００６６】
上述したように本実施形態によれば、閲覧指標の大きい順にｎ個のコンテンツを順次含むように画面Ａを更新表示させる構成により、各コンテンツの人気に応じて、各コンテンツを非同期に表示することができる。
【００６７】
また、閲覧指標が、ページビュー（ＰＶ）、ユニークユーザ（ＵＵ）、デイリーアクティブユーザ（ＤＡＵ）又はウイークリーアクティブユーザ（ＷＡＵ）である場合には、当該ＰＶ、ＵＵ、ＤＡＵ又はＷＡＵの値に応じて、各コンテンツを非同期に表示することができる。
【００６８】
例えば、閲覧指標がＰＶの場合、コンテンツが閲覧された回数に応じて、各コンテンツを非同期に表示することができる。
【００６９】
閲覧指標がＵＵの場合、コンテンツを閲覧したユーザの数に応じて、各コンテンツを非同期に表示することができる。
【００７０】
閲覧指標がＤＡＵの場合、コンテンツを閲覧した１日当たりのユーザの数に応じて、各コンテンツを非同期に表示することができる。
【００７１】
閲覧指標がＷＡＵの場合、コンテンツを閲覧した１週間当たりのユーザの数に応じて、各コンテンツを非同期に表示することができる。
【００７２】
＜第２の実施形態＞
次に、本発明の第２の実施形態に係るコンテンツ表示方法について説明する。
【００７３】
第２の実施形態は、各コンテンツの人気に応じて各コンテンツを非同期に表示した第１の実施形態の変形例であり、ユーザの嗜好に応じて各コンテンツを非同期に表示する形態である。
【００７４】
これに伴い、履歴データは、ｎ個以上のコンテンツの各々のファイル名と、クライアント装置１を識別又は当該クライアント装置１のユーザＵを識別するユーザ識別情報と、を含んでいる。
【００７５】
また、閲覧情報２１ａ’は、図２に示した閲覧情報２１ａを変形した情報であり、図５に示すように、ユーザ識別情報が、各々のファイル名及び閲覧指標に関連付けられている。なお、図５中の記号“Ｕ１”は、前述した通り、クライアント装置１を識別又は当該クライアント装置１のユーザＵを識別するユーザ識別情報（例、ＩＰアドレス、アカウント情報など）を抽象的に表している。この閲覧指標は、当該ｎ個以上のコンテンツの各々が閲覧された度合を示しており、詳しくは、コンテンツが閲覧された回数を示すページビュー（ＰＶ）に相当する指標である。なお、閲覧順位は、前述同様に、理解を容易にする趣旨で示しているので、省略してもよい。
【００７６】
また、応答処理部２３の取得機能(f23-2)は、以下の機能(f23-2-1)及び(f23-2-2)を含んでいる。
【００７７】
(f23-2-1)  受信したデータ取得要求と、閲覧情報２１ａ’とに基づいて、閲覧情報２１ａ’内のユーザ識別情報のうち、当該データ取得要求に含まれるユーザ識別情報に一致する当該閲覧情報２１ａ’内のユーザ識別情報に関連付けられた閲覧指標の大きい順にｎ個のコンテンツのファイル名を含むＷｅｂページを作成する機能。
【００７８】
(f23-2-2)  当該一致する当該閲覧情報２１ａ’内のユーザ識別情報に関連付けられた閲覧指標のうち、最も大きい閲覧指標に関連付けられた１個のコンテンツを取得する工程。
【００７９】
他の構成は、第１の実施形態と同様である。
【００８０】
次に、以上のように構成されたクライアントサーバシステムによるコンテンツ表示方法について図６のフローチャート及び図４の模式図を用いて説明する。なお、以下の説明は、図６のフローチャートにおける図３と略同一部分には同一符号を付してその詳しい説明を省略し、ここでは異なる部分について主に述べる。以下の各実施形態も同様にして、重複した説明を省略する。また、図４の模式図は、ステップＳＴ番号の右肩に付く符号「”」，「”’」，「””」とクライアント装置１の符号「１」，「１０」の相違を無視して、各実施形態に共通して用いられる。
【００８１】
始めに、サーバ装置２０においては、クライアント装置１及び他のクライアント装置（図示せず）に対し、記憶部２１内のｎ個以上のコンテンツをＷｅｂページ上で公開している。これらのクライアント装置は、適宜、サーバ装置２０のＷｅｂページにアクセスして各コンテンツを閲覧可能となっている。
【００８２】
サーバ装置２０では、閲覧情報更新部２２が、ｎ個以上のコンテンツの各々が閲覧された履歴を示す履歴データを記憶部２１に更新保存する（ＳＴ１’）。この履歴データは、各コンテンツのファイル名と、ユーザ識別情報とを含んでいる。
【００８３】
また、閲覧情報更新部２２は、履歴データに基づいて、ユーザ識別情報と、各コンテンツのファイル名と、当該各コンテンツの閲覧指標とが関連付けられた閲覧情報２１ａ’を記憶部２１に更新保存する（ＳＴ２’）。
【００８４】
閲覧指標としては、例えば、ページビュー（ＰＶ）が用いられる。なお、このような閲覧指標の計測には、例えば、ユーザ識別情報毎に、各コンテンツへのアクセス回数をカウントするアクセスカウンタを用いてもよい。
【００８５】
いずれにしても、履歴データ及び閲覧情報２１ａ’が更新保存されている状態で、クライアント装置１では、前述同様に、ユーザＵの操作により、画面ＡのＵＲＬを含むリクエスト（画面Ａの表示のためのデータ取得要求）をサーバ装置２０に送信する。この後、クライアント装置１は、読出中であることを示すローディング画面を表示する。
【００８６】
サーバ装置２０では、前述同様に、応答処理部２３が、当該表示のためのデータ取得要求をクライアント装置１から受信する（ＳＴ３）。
【００８７】
応答処理部２３は、当該受信したデータ取得要求と、閲覧情報２１ａ’とに基づいて、閲覧情報２１ａ’内のユーザ識別情報のうち、当該データ取得要求に含まれるユーザ識別情報に一致する当該閲覧情報２１ａ’内のユーザ識別情報に関連付けられた閲覧指標の大きい順にｎ（＝５）個のコンテンツａ〜ｅのファイル名を含むＷｅｂページを作成する。
【００８８】
また、応答処理部２３は、当該一致する当該閲覧情報２１ａ’内のユーザ識別情報に関連付けられた閲覧指標のうち、最も大きい閲覧指標に関連付けられた１個のコンテンツａを取得する（ＳＴ４’）。なお、ｎ＝５は一例であり、これに限定されない。
【００８９】
このようなステップＳＴ１’〜ＳＴ４’により、サーバ装置２０においては、ユーザ識別情報及び閲覧指標に基づいて、ユーザの嗜好に応じたコンテンツａ〜ｅのファイル名を含むＷｅｂページと、コンテンツａとを得ることができる。
【００９０】
以下、前述同様に、ステップＳＴ５〜ＳＴ８が実行される。
【００９１】
これにより、クライアント装置１では、ユーザ識別情報に関連付けられた閲覧指標の大きい順に５個のコンテンツａ〜ｅを含むように画面Ａが更新表示される。
【００９２】
上述したように本実施形態によれば、ユーザ識別情報に関連付けられた閲覧指標の大きい順にｎ個のコンテンツを順次含むように画面Ａを更新表示させる構成により、ユーザの嗜好に応じて、各コンテンツを非同期に表示することができる。
【００９３】
＜第３の実施形態＞
次に、本発明の第３の実施形態に係るコンテンツ表示方法について説明する。
【００９４】
第３の実施形態は、各コンテンツの人気に応じて各コンテンツを非同期に表示した第１の実施形態の変形例であり、ユーザの嗜好に応じて各コンテンツを非同期に表示する形態である。但し、ユーザの嗜好は、第２の実施形態の如き、閲覧された度合（閲覧指標）には対応せず、閲覧された日時（閲覧日時）に対応する場合を想定している。言い換えると、閲覧指標の大きいコンテンツを好むユーザではなく、閲覧日時の新しいコンテンツを好むユーザを想定している。
【００９５】
これに伴い、履歴データは、ｎ個以上のコンテンツの各々のファイル名と、当該ｎ個以上のコンテンツの各々が閲覧された日時を示す閲覧日時と、クライアント装置１を識別又は当該クライアント装置１のユーザを識別するユーザ識別情報と、を含んでいる。
【００９６】
また、閲覧情報２１ａは省略されている。
【００９７】
同様に、閲覧情報更新部２２は、前述した履歴データ更新機能(f22-1)を有しており、閲覧情報更新機能(f22-2)が省略されている。なお、「閲覧情報更新部２２」は、「履歴データ更新部２２」と読み替えてもよい。
【００９８】
また、応答処理部２３は、後述する各ステップＳＴ４”、ＳＴ６”及びＳＴ８”に述べるように、閲覧情報２１ａに代えて履歴データを用いる点と、閲覧指標の大きい順に代えて閲覧日時の新しい順を用いる点で、前述した各機能が変更されている。
【００９９】
他の構成は、第１の実施形態と同様である。
【０１００】
次に、以上のように構成されたクライアントサーバシステムによるコンテンツ表示方法について図７のフローチャート及び図４の模式図を用いて説明する。
【０１０１】
始めに、サーバ装置２０においては、クライアント装置１及び他のクライアント装置（図示せず）に対し、記憶部２１内のｎ個以上のコンテンツをＷｅｂページ上で公開している。これらのクライアント装置は、適宜、サーバ装置２０のＷｅｂページにアクセスして各コンテンツを閲覧可能となっている。
【０１０２】
サーバ装置２０では、閲覧情報更新部２２が、ｎ個以上のコンテンツの各々が閲覧された履歴を示す履歴データを記憶部２１に更新保存する（ＳＴ１’）。この履歴データは、各コンテンツのファイル名と、閲覧日時と、ユーザ識別情報とを含んでいる。
【０１０３】
履歴データが更新保存されている状態で、クライアント装置１では、前述同様に、ユーザＵの操作により、画面ＡのＵＲＬを含むリクエスト（画面Ａの表示のためのデータ取得要求）をサーバ装置２０に送信する。この後、クライアント装置１は、読出中であることを示すローディング画面を表示する。
【０１０４】
サーバ装置２０では、前述同様に、応答処理部２３が、当該表示のためのデータ取得要求をクライアント装置１から受信する（ＳＴ３）。
【０１０５】
応答処理部２３は、当該受信したデータ取得要求と、履歴データとに基づいて、当該履歴データ内のユーザ識別情報のうち、当該データ取得要求に含まれるユーザ識別情報に一致する当該履歴データ内のユーザ識別情報に関連付けられた閲覧日時の新しい順にｎ（＝５）個のコンテンツａ〜ｅのファイル名を含むＷｅｂページを作成すると共に、最も新しい閲覧日時に関連付けられた１個のコンテンツａを取得する（ＳＴ４”）。なお、ｎ＝５は一例であり、これに限定されない。
【０１０６】
応答処理部２３は、当該作成したＷｅｂページ及び当該取得した１個のコンテンツａをクライアント装置１に応答（レスポンス）することにより、当該Ｗｅｂページに基づいて、当該１個のコンテンツａを含む画面Ａをクライアント装置１に表示させる（ＳＴ５）。
【０１０７】
なお、ステップＳＴ４”〜ＳＴ５の処理は、互いに別ファイルのＷｅｂページ及びコンテンツａを応答する場合であるが、前述同様に、コンテンツａを含むＷｅｂページのファイルを応答する場合に変形してもよい。
【０１０８】
いずれにしても、応答処理部２３は、当該応答したＷｅｂページ内の各ファイル名のうち、閲覧日時の新しい順に、未取得のコンテンツの１個のファイル名を含むコンテンツ取得要求をクライアント装置１から受信する（ＳＴ６”）。
【０１０９】
応答処理部２３は、このコンテンツ取得要求内のファイル名に基づいて１個のコンテンツを取得すると共に、当該１個のコンテンツをクライアント装置１に応答することにより、当該１個のコンテンツを更に含むように画面Ａをクライアント装置１に更新表示させる（ＳＴ７）。
【０１１０】
応答処理部２３は、閲覧日時の新しい順にｎ（＝５）個のコンテンツを含むように画面Ａが更新表示されるまで、ステップＳＴ６”〜ＳＴ７を繰り返し実行する（ＳＴ８”）。
【０１１１】
以上により、クライアント装置１では、ユーザ識別情報に関連付けられた閲覧日時の新しい順に５個のコンテンツａ〜ｅを含むように画面Ａが更新表示される。
【０１１２】
上述したように本実施形態によれば、ユーザ識別情報に関連付けられた閲覧日時の新しい順にｎ個のコンテンツを順次含むように画面Ａを更新表示させる構成により、ユーザの嗜好に応じて、各コンテンツを非同期に表示することができる。
【０１１３】
＜第４の実施形態＞
次に、本発明の第４の実施形態に係るコンテンツ表示方法について説明する。
【０１１４】
第４の実施形態は、サーバ装置２０が履歴データ及び閲覧情報２１ａを更新保存する第１の実施形態の変形例であり、図８及び図９に示すように、サーバ装置２０内の閲覧情報更新部２２と記憶部２１内の閲覧情報２１ａとを省略し、クライアント装置１０内の履歴更新部１２が履歴データ及び閲覧情報１１ａを記憶部１１に更新保存する形態である。
【０１１５】
ここで、クライアント装置１０は、記憶部１１、履歴更新部１２及び要求処理部１３を備えている。
【０１１６】
記憶部１１は、各部１２，１３から読出／書込可能な記憶装置であり、少なくともｎ個のコンテンツ、履歴データ及び閲覧情報１１ａを記憶する。
【０１１７】
ｎ個のコンテンツは、例えば、ゲーム等のコンテンツであり、サーバ装置２０から取得される。ｎは、第１の実施形態と同様である。
【０１１８】
履歴データは、ｎ個以上のコンテンツの各々が閲覧された履歴を示すデータであり、履歴更新部１２により記憶部１１に更新保存される。履歴データは、例えば、コンテンツのファイル名と、当該コンテンツの閲覧日時（受信日時）とを含んでいる。
【０１１９】
閲覧情報１１ａは、図９に一例を示すように、閲覧した各コンテンツのファイル名と、当該各コンテンツが閲覧された度合を示す閲覧指標とが関連付けられた情報であり、履歴更新部１２により記憶部１１に更新保存される。なお、ユーザの嗜好に合うほど閲覧される度合が増加するので、閲覧指標はユーザの嗜好に応じた値でもある。また、図９に示した閲覧情報１１ａはｎ＝５の例であり、５個以上のコンテンツの各々のファイル名と、閲覧指標とが関連付けられている。また、図９に示す閲覧情報１１ａは、前述同様に省略してもよい。
【０１２０】
履歴更新部１２は、例えば以下の各機能(f12-1)及び(f12-2)をもっている。
【０１２１】
(f12-1)  ｎ個以上のコンテンツの各々を閲覧した履歴を示す履歴データを記憶部１１に更新保存する履歴データ更新機能。
【０１２２】
(f12-2)  当該履歴データに基づいて、当該閲覧した各コンテンツのファイル名と、当該各コンテンツを閲覧した度合を示す閲覧指標とを関連付けた閲覧情報１１ａを記憶部１１に更新保存する閲覧情報更新機能。
【０１２３】
要求処理部１３は、例えば以下の各機能(f13-1)〜(f13-5)をもっている。
【０１２４】
(f13-1)  閲覧指標の大きい順にｎ個のコンテンツのファイル名を含むデータ取得要求を作成すると共に、当該データ取得要求をサーバ装置２０に送信する機能。
【０１２５】
(f13-2)  サーバ装置２０からＷｅｂページ及び１個のコンテンツの応答を受けることにより、当該Ｗｅｂページに基づいて、当該１個のコンテンツを含む画面Ａを表示する機能。
【０１２６】
(f13-3)  当該応答されたＷｅｂページ内の各ファイル名のうち、閲覧指標の大きい順に、未取得のコンテンツの１個のファイル名を含むコンテンツ取得要求をサーバ装置２０に送信する機能。
【０１２７】
(f13-4)  サーバ装置２０からコンテンツ取得要求内のファイル名に基づく１個のコンテンツの応答を受けることにより、当該１個のコンテンツを更に含むように画面Ａを更新表示する機能。
【０１２８】
(f13-5)  閲覧指標の大きい順にｎ個のコンテンツを含むように画面Ａを更新表示するまで、機能(f13-3)及び(f13-4)による処理を繰り返し実行する機能。
【０１２９】
このような履歴更新部１２及び要求処理部１３は、例えば、図示しないＣＰＵ（central processing unit）が、後述するクライアント装置１０内の各ステップを含むプログラムを実行することにより実現してもよい。これは以下の各実施形態でも同様である。
【０１３０】
一方、サーバ装置２０は、前述した通り、閲覧情報更新部２２と記憶部２１内の閲覧情報２１ａとが省略されている。
【０１３１】
また、応答処理部２３は、後述する各ステップＳＴ４”’に述べるように、閲覧情報２１ａを用いない点で、前述した取得機能(f23-2)が変更されている。
【０１３２】
他の構成は、第１の実施形態と同様である。
【０１３３】
次に、以上のように構成されたクライアントサーバシステムによるコンテンツ表示方法について図１０のフローチャート及び図４の模式図を用いて説明する。
【０１３４】
始めに、サーバ装置２０においては、クライアント装置１０及び他のクライアント装置（図示せず）に対し、記憶部２１内のｎ個以上のコンテンツをＷｅｂページ上で公開している。これらのクライアント装置は、適宜、サーバ装置２０のＷｅｂページにアクセスして各コンテンツを閲覧可能となっている。
【０１３５】
一方、クライアント装置１０では、履歴更新部１２が、ｎ個以上のコンテンツの各々を閲覧した履歴を示す履歴データを記憶部１１に更新保存する（ＳＴ１”’）。この履歴データは、各コンテンツのファイル名と、閲覧日時（受信日時）とを含んでいる。
【０１３６】
また、履歴更新部１２は、履歴データに基づいて、閲覧した各コンテンツのファイル名と、当該各コンテンツの閲覧指標とが関連付けられた閲覧情報１１ａを記憶部１１に更新保存する（ＳＴ２”’）。
【０１３７】
続いて、クライアント装置１０では、ユーザＵの操作により、画面ＡのＵＲＬが要求処理部１２に入力されたとする。
【０１３８】
要求処理部１２は、閲覧指標の大きい順にｎ個のコンテンツのファイル名を含む画面取得要求を作成すると共に、当該データ取得要求を画面ＡのＵＲＬに基づいてサーバ装置２０に送信する。この後、クライアント装置１０は、読出中であることを示すローディング画面を表示する。
【０１３９】
サーバ装置２０では、前述同様に、応答処理部２３が、当該データ取得要求をクライアント装置１０から受信する（ＳＴ３）。
【０１４０】
応答処理部２３は、当該受信したデータ取得要求に基づいて、閲覧指標の大きい順にｎ（＝５）個のコンテンツａ〜ｅのファイル名を含むＷｅｂページを作成すると共に、最も大きい閲覧指標に関連付けられた１個のコンテンツａを取得する（ＳＴ４”’）。なお、ｎ＝５は一例であり、これに限定されない。
【０１４１】
このようなステップＳＴ１”’〜ＳＴ４’により、サーバ装置２０においては、クライアント装置１０内の閲覧指標に基づいて、ユーザの嗜好に応じたコンテンツａ〜ｅのファイル名を含むＷｅｂページと、コンテンツａとを得ることができる。
【０１４２】
以下、前述同様に、ステップＳＴ５〜ＳＴ８が実行される。
【０１４３】
これにより、クライアント装置１０では、自装置１０内の履歴データに基づく閲覧指標の大きい順に５個のコンテンツａ〜ｅを含むように画面Ａが更新表示される。
【０１４４】
上述したように本実施形態によれば、クライアント装置１０内の閲覧指標の大きい順にｎ個のコンテンツを順次含むように画面Ａを更新表示させる構成により、ユーザの嗜好に応じて、各コンテンツを非同期に表示することができる。
【０１４５】
＜第５の実施形態＞
次に、本発明の第５の実施形態に係るコンテンツ表示方法について説明する。
【０１４６】
第５の実施形態は、ユーザの嗜好に応じて、閲覧指標の大きい順に各コンテンツを非同期に表示した第４の実施形態の変形例であり、ユーザの嗜好に応じて、閲覧日時の新しい順に各コンテンツを非同期に表示する形態である。
【０１４７】
これに伴い、図９に示した閲覧情報１１ａは、省略されている。
【０１４８】
同様に、履歴更新部１２は、前述した履歴データ更新機能(f12-1)を有しており、閲覧情報更新機能(f12-2)が省略されている。
【０１４９】
要求処理部１３は、以下の機能(f13-1)’,(f13-3)’,(f13-5)’に示すように、閲覧指標の大きい順に代えて閲覧日時の新しい順を用いる点で、前述した各機能(f13-1),(f13-3),(f13-5)が変更されている。なお、他の機能(f13-2),(f13-4)は、前述した通りである。
【０１５０】
(f13-1)’  閲覧日時の新しい順にｎ個のコンテンツのファイル名を含むデータ取得要求を作成すると共に、当該データ取得要求をサーバ装置２０に送信する機能。
【０１５１】
(f13-3)’  当該応答されたＷｅｂページ内の各ファイル名のうち、閲覧日時の新しい順に、未取得のコンテンツの１個のファイル名を含むコンテンツ取得要求をサーバ装置２０に送信する機能。
【０１５２】
(f13-5)’  閲覧日時の新しい順にｎ個のコンテンツを含むように画面Ａを更新表示するまで、機能(f13-3)’及び(f13-4)による処理を繰り返し実行する機能。
【０１５３】
一方、サーバ装置２０内の応答処理部２３は、後述する各ステップＳＴ４””、ＳＴ６””及びＳＴ８””に述べるように、閲覧指標の大きい順に代えて閲覧日時の新しい順を用いる点で、前述した各機能が変更されている。
【０１５４】
他の構成は、第４の実施形態と同様である。
【０１５５】
次に、以上のように構成されたクライアントサーバシステムによるコンテンツ表示方法について図１１のフローチャート及び図４の模式図を用いて説明する。
【０１５６】
始めに、サーバ装置２０においては、クライアント装置１０及び他のクライアント装置（図示せず）に対し、記憶部２１内のｎ個以上のコンテンツをＷｅｂページ上で公開している。これらのクライアント装置は、適宜、サーバ装置２０のＷｅｂページにアクセスして各コンテンツを閲覧可能となっている。
【０１５７】
一方、クライアント装置１０では、履歴更新部１２が、ｎ個以上のコンテンツの各々を閲覧した履歴を示す履歴データを記憶部１１に更新保存する（ＳＴ１”’）。この履歴データは、各コンテンツのファイル名と、閲覧日時（受信日時）とを含んでいる。
【０１５８】
続いて、クライアント装置１０では、ユーザＵの操作により、画面ＡのＵＲＬが要求処理部１２に入力されたとする。
【０１５９】
要求処理部１２は、閲覧日時の新しい順にｎ個のコンテンツのファイル名を含む画面取得要求を作成すると共に、当該データ取得要求を画面ＡのＵＲＬに基づいてサーバ装置２０に送信する。この後、クライアント装置１０は、読出中であることを示すローディング画面を表示する。
【０１６０】
サーバ装置２０では、前述同様に、応答処理部２３が、当該データ取得要求をクライアント装置１０から受信する（ＳＴ３）。
【０１６１】
応答処理部２３は、当該受信したデータ取得要求に基づいて、閲覧日時の新しい順にｎ（＝５）個のコンテンツａ〜ｅのファイル名を含むＷｅｂページを作成すると共に、最も新しい閲覧日時に関連付けられた１個のコンテンツａを取得する（ＳＴ４””）。なお、ｎ＝５は一例であり、これに限定されない。
【０１６２】
応答処理部２３は、当該作成したＷｅｂページ及び当該取得した１個のコンテンツａをクライアント装置１０に応答（レスポンス）することにより、当該Ｗｅｂページに基づいて、当該１個のコンテンツａを含む画面Ａをクライアント装置１０に表示させる（ＳＴ５）。
【０１６３】
なお、ステップＳＴ４””〜ＳＴ５の処理は、互いに別ファイルのＷｅｂページ及びコンテンツａを応答する場合であるが、前述同様に、コンテンツａを含むＷｅｂページのファイルを応答する場合に変形してもよい。
【０１６４】
いずれにしても、応答処理部２３は、当該応答したＷｅｂページ内の各ファイル名のうち、閲覧日時の新しい順に、未取得のコンテンツの１個のファイル名を含むコンテンツ取得要求をクライアント装置１０から受信する（ＳＴ６””）。
【０１６５】
応答処理部２３は、このコンテンツ取得要求内のファイル名に基づいて１個のコンテンツを取得すると共に、当該１個のコンテンツをクライアント装置１０に応答することにより、当該１個のコンテンツを更に含むように画面Ａをクライアント装置１０に更新表示させる（ＳＴ７）。
【０１６６】
応答処理部２３は、閲覧日時の新しい順にｎ（＝５）個のコンテンツを含むように画面Ａが更新表示されるまで、ステップＳＴ６””〜ＳＴ７を繰り返し実行する（ＳＴ８””）。
【０１６７】
以上により、クライアント装置１０では、自装置１０内の履歴データにおける閲覧日時の新しい順に５個のコンテンツａ〜ｅを含むように画面Ａが更新表示される。
【０１６８】
上述したように本実施形態によれば、クライアント装置１０内の履歴データにおける閲覧日時の新しい順にｎ個のコンテンツを順次含むように画面Ａを更新表示させる構成により、ユーザの嗜好に応じて、各コンテンツを非同期に表示することができる。
【０１６９】
なお、上記実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【０１７０】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【０１７１】
以下に、本願の原出願の当初の特許請求の範囲に記載された発明を付記する。
［１］ｎ個以上のコンテンツを管理し且つ記憶手段を有するサーバ装置がクライアント装置にｎ個のコンテンツを表示させるコンテンツ表示方法であって、前記サーバ装置が、前記ｎ個以上のコンテンツの各々が閲覧された履歴を示す履歴データを前記記憶手段に更新保存する工程と、前記サーバ装置が、前記履歴データに基づいて、前記ｎ個以上のコンテンツの各々のファイル名と、当該ｎ個以上のコンテンツの各々が閲覧された度合を示す閲覧指標とが関連付けられた閲覧情報を前記記憶手段に更新保存する工程と、前記サーバ装置が、前記表示のためのデータ取得要求を前記クライアント装置から受信する第１要求受信工程と、前記サーバ装置が、前記受信したデータ取得要求と、前記閲覧情報とに基づいて、前記閲覧指標の大きい順にｎ個のコンテンツのファイル名を含むＷｅｂページを作成すると共に、最も大きい前記閲覧指標に関連付けられた１個のコンテンツを取得する工程と、前記サーバ装置が、前記作成したＷｅｂページ及び前記取得した１個のコンテンツを前記クライアント装置に応答することにより、当該Ｗｅｂページに基づいて、当該１個のコンテンツを含む画面を前記クライアント装置に表示させる第１応答工程と、前記サーバ装置が、前記応答したＷｅｂページ内の各ファイル名のうち、前記閲覧指標の大きい順に、未取得のコンテンツの１個のファイル名を含むコンテンツ取得要求を前記クライアント装置から受信する第２要求受信工程と、前記サーバ装置が、前記コンテンツ取得要求内のファイル名に基づいて１個のコンテンツを取得すると共に、当該１個のコンテンツを前記クライアント装置に応答することにより、当該１個のコンテンツを更に含むように前記画面を前記クライアント装置に更新表示させる第２応答工程と、前記サーバ装置が、前記閲覧指標の大きい順にｎ個のコンテンツを含むように前記画面が更新表示されるまで、前記第２要求受信工程及び前記第２応答工程を繰り返し実行する工程と、を備えたことを特徴とするコンテンツ表示方法。
【０１７２】
［２］［１］に記載のコンテンツ表示方法において、前記閲覧指標は、前記コンテンツが閲覧された回数を示すページビュー（ＰＶ）、前記コンテンツを閲覧したユーザの数を示すユニークユーザ（ＵＵ）、前記コンテンツを閲覧した１日当たりのユーザの数を示すデイリーアクティブユーザ（ＤＡＵ）、又は、前記コンテンツを閲覧した１週間当たりのユーザの数を示すウイークリーアクティブユーザ（ＷＡＵ）であることを特徴とするコンテンツ表示方法。
【０１７３】
［３］［１］に記載のコンテンツ表示方法において、前記履歴データは、前記ｎ個以上のコンテンツの各々のファイル名と、前記クライアント装置を識別又は当該クライアント装置のユーザを識別するユーザ識別情報と、を含んでおり、前記閲覧情報は、前記ユーザ識別情報が前記各々のファイル名及び前記閲覧指標に関連付けられており、前記コンテンツを取得する工程は、前記サーバ装置が、前記受信したデータ取得要求と、前記閲覧情報とに基づいて、前記閲覧情報内のユーザ識別情報のうち、前記データ取得要求に含まれるユーザ識別情報に一致する当該閲覧情報内のユーザ識別情報に関連付けられた前記閲覧指標の大きい順にｎ個のコンテンツのファイル名を含むＷｅｂページを作成する工程と、前記サーバ装置が、前記一致する当該閲覧情報内のユーザ識別情報に関連付けられた前記閲覧指標のうち、最も大きい前記閲覧指標に関連付けられた１個のコンテンツを取得する工程と、を含んでいることを特徴とするコンテンツ表示方法。
【０１７４】
［４］ｎ個以上のコンテンツを管理し且つ記憶手段を有するサーバ装置がクライアント装置にｎ個のコンテンツを表示させるコンテンツ表示方法であって、前記サーバ装置が、前記ｎ個以上のコンテンツの各々のファイル名と、当該ｎ個以上のコンテンツの各々が閲覧された日時を示す閲覧日時と、前記クライアント装置を識別又は当該クライアント装置のユーザを識別するユーザ識別情報と、を含む履歴データを前記記憶手段に更新保存する工程と、前記サーバ装置が、前記表示のためのデータ取得要求を前記クライアント装置から受信する第１要求受信工程と、前記サーバ装置が、前記受信したデータ取得要求と、前記履歴データとに基づいて、前記履歴データ内のユーザ識別情報のうち、前記データ取得要求に含まれるユーザ識別情報に一致する当該履歴データ内のユーザ識別情報に関連付けられた前記閲覧日時の新しい順にｎ個のコンテンツのファイル名を含むＷｅｂページを作成すると共に、最も新しい前記閲覧日時に関連付けられた１個のコンテンツを取得する工程と、前記サーバ装置が、前記作成したＷｅｂページ及び前記取得した１個のコンテンツを前記クライアント装置に応答することにより、当該Ｗｅｂページに基づいて、当該１個のコンテンツを含む画面を前記クライアント装置に表示させる第１応答工程と、前記サーバ装置が、前記応答したＷｅｂページ内の各ファイル名のうち、前記閲覧日時の新しい順に、未取得のコンテンツの１個のファイル名を含むコンテンツ取得要求を前記クライアント装置から受信する第２要求受信工程と、前記サーバ装置が、前記コンテンツ取得要求内のファイル名に基づいて１個のコンテンツを取得すると共に、当該１個のコンテンツを前記クライアント装置に応答することにより、当該１個のコンテンツを更に含むように前記画面を前記クライアント装置に更新表示させる第２応答工程と、前記サーバ装置が、前記閲覧日時の新しい順にｎ個のコンテンツを含むように前記画面が更新表示されるまで、前記第２要求受信工程及び前記第２応答工程を繰り返し実行する工程と、を備えたことを特徴とするコンテンツ表示方法。
【０１７５】
［５］ｎ個以上のコンテンツを管理するサーバ装置が、記憶手段を有するクライアント装置にｎ個のコンテンツを表示させるコンテンツ表示方法であって、前記クライアント装置が、前記ｎ個以上のコンテンツの各々を閲覧した履歴を示す履歴データを前記記憶手段に更新保存する工程と、前記クライアント装置が、前記履歴データに基づいて、前記閲覧した各コンテンツのファイル名と、当該各コンテンツを閲覧した度合を示す閲覧指標とを関連付けた閲覧情報を前記記憶手段に更新保存する工程と、前記クライアント装置が、前記閲覧指標の大きい順にｎ個のコンテンツのファイル名を含むデータ取得要求を作成すると共に、当該データ取得要求を前記サーバ装置に送信する工程と、前記サーバ装置が、前記データ取得要求を前記クライアント装置から受信する第１要求受信工程と、前記サーバ装置が、前記受信したデータ取得要求に基づいて、前記閲覧指標の大きい順にｎ個のコンテンツのファイル名を含むＷｅｂページを作成すると共に、最も大きい前記閲覧指標に関連付けられた１個のコンテンツを取得する工程と、前記サーバ装置が、前記作成したＷｅｂページ及び前記取得した１個のコンテンツを前記クライアント装置に応答することにより、当該Ｗｅｂページに基づいて、当該１個のコンテンツを含む画面を前記クライアント装置に表示させる第１応答工程と、前記サーバ装置が、前記応答したＷｅｂページ内の各ファイル名のうち、前記閲覧指標の大きい順に、未取得のコンテンツの１個のファイル名を含むコンテンツ取得要求を前記クライアント装置から受信する第２要求受信工程と、前記サーバ装置が、前記コンテンツ取得要求内のファイル名に基づいて１個のコンテンツを取得すると共に、当該１個のコンテンツを前記クライアント装置に応答することにより、当該１個のコンテンツを更に含むように前記画面を前記クライアント装置に更新表示させる第２応答工程と、前記サーバ装置が、前記閲覧指標の大きい順にｎ個のコンテンツを含むように前記画面が更新表示されるまで、前記第２要求受信工程及び前記第２応答工程を繰り返し実行する工程と、を備えたことを特徴とするコンテンツ表示方法。
【０１７６】
［６］ｎ個以上のコンテンツを管理するサーバ装置が、記憶手段を有するクライアント装置にｎ個のコンテンツを表示させるコンテンツ表示方法であって、前記クライアント装置が、前記ｎ個以上のコンテンツの各々が閲覧された日時を示す閲覧日時と、前記閲覧された各コンテンツのファイル名と、を含む履歴データを前記記憶手段に更新保存する工程と、前記クライアント装置が、前記閲覧日時の新しい順にｎ個のコンテンツのファイル名を含むデータ取得要求を作成すると共に、当該データ取得要求を前記サーバ装置に送信する工程と、前記サーバ装置が、前記データ取得要求を前記クライアント装置から受信する第１要求受信工程と、前記サーバ装置が、前記受信したデータ取得要求に基づいて、前記閲覧日時の新しい順にｎ個のコンテンツのファイル名を含むＷｅｂページを作成すると共に、最も大きい前記閲覧指標に関連付けられた１個のコンテンツを取得する工程と、前記サーバ装置が、前記作成したＷｅｂページ及び前記取得した１個のコンテンツを前記クライアント装置に応答することにより、当該Ｗｅｂページに基づいて、当該１個のコンテンツを含む画面を前記クライアント装置に表示させる第１応答工程と、前記サーバ装置が、前記応答したＷｅｂページ内の各ファイル名のうち、前記閲覧日時の新しい順に、未取得のコンテンツの１個のファイル名を含むコンテンツ取得要求を前記クライアント装置から受信する第２要求受信工程と、前記サーバ装置が、前記コンテンツ取得要求内のファイル名に基づいて１個のコンテンツを取得すると共に、当該１個のコンテンツを前記クライアント装置に応答することにより、当該１個のコンテンツを更に含むように前記画面を前記クライアント装置に更新表示させる第２応答工程と、前記サーバ装置が、前記閲覧日時の新しい順にｎ個のコンテンツを含むように前記画面が更新表示されるまで、前記第２要求受信工程及び前記第２応答工程を繰り返し実行する工程と、を備えたことを特徴とするコンテンツ表示方法。
【０１７７】
［７］ｎ個以上のコンテンツを管理し且つ記憶手段を有し、クライアント装置にｎ個のコンテンツを表示させるサーバ装置であって、前記ｎ個以上のコンテンツの各々が閲覧された履歴を示す履歴データを前記記憶手段に更新保存する履歴データ更新手段と、前記履歴データに基づいて、前記ｎ個以上のコンテンツの各々のファイル名と、当該ｎ個以上のコンテンツの各々が閲覧された度合を示す閲覧指標とが関連付けられた閲覧情報を前記記憶手段に更新保存する閲覧情報更新手段と、前記表示のためのデータ取得要求を前記クライアント装置から受信する第１要求受信手段と、前記受信したデータ取得要求と、前記閲覧情報とに基づいて、前記閲覧指標の大きい順にｎ個のコンテンツのファイル名を含むＷｅｂページを作成すると共に、最も大きい前記閲覧指標に関連付けられた１個のコンテンツを取得する取得手段と、前記作成したＷｅｂページ及び前記取得した１個のコンテンツを前記クライアント装置に応答することにより、当該Ｗｅｂページに基づいて、当該１個のコンテンツを含む画面を前記クライアント装置に表示させる第１応答手段と、前記応答したＷｅｂページ内の各ファイル名のうち、前記閲覧指標の大きい順に、未取得のコンテンツの１個のファイル名を含むコンテンツ取得要求を前記クライアント装置から受信する第２要求受信手段と、前記コンテンツ取得要求内のファイル名に基づいて１個のコンテンツを取得すると共に、当該１個のコンテンツを前記クライアント装置に応答することにより、当該１個のコンテンツを更に含むように前記画面を前記クライアント装置に更新表示させる第２応答手段と、前記閲覧指標の大きい順にｎ個のコンテンツを含むように前記画面が更新表示されるまで、前記第２要求受信手段及び前記第２応答手段を繰り返し実行するように制御する制御手段と、を備えたことを特徴とするサーバ装置。
【０１７８】
［８］ｎ個以上のコンテンツを管理し且つ記憶手段を有し、クライアント装置にｎ個のコンテンツを表示させるサーバ装置に用いられるプログラムであって、前記サーバ装置を、前記ｎ個以上のコンテンツの各々が閲覧された履歴を示す履歴データを前記記憶手段に更新保存する履歴データ更新手段、前記履歴データに基づいて、前記ｎ個以上のコンテンツの各々のファイル名と、当該ｎ個以上のコンテンツの各々が閲覧された度合を示す閲覧指標とが関連付けられた閲覧情報を前記記憶手段に更新保存する閲覧情報更新手段、前記表示のためのデータ取得要求を前記クライアント装置から受信する第１要求受信手段、前記受信したデータ取得要求と、前記閲覧情報とに基づいて、前記閲覧指標の大きい順にｎ個のコンテンツのファイル名を含むＷｅｂページを作成すると共に、最も大きい前記閲覧指標に関連付けられた１個のコンテンツを取得する取得手段、前記作成したＷｅｂページ及び前記取得した１個のコンテンツを前記クライアント装置に応答することにより、当該Ｗｅｂページに基づいて、当該１個のコンテンツを含む画面を前記クライアント装置に表示させる第１応答手段、前記応答したＷｅｂページ内の各ファイル名のうち、前記閲覧指標の大きい順に、未取得のコンテンツの１個のファイル名を含むコンテンツ取得要求を前記クライアント装置から受信する第２要求受信手段、前記コンテンツ取得要求内のファイル名に基づいて１個のコンテンツを取得すると共に、当該１個のコンテンツを前記クライアント装置に応答することにより、当該１個のコンテンツを更に含むように前記画面を前記クライアント装置に更新表示させる第２応答手段、前記閲覧指標の大きい順にｎ個のコンテンツを含むように前記画面が更新表示されるまで、前記第２要求受信手段及び前記第２応答手段を繰り返し実行するように制御する制御手段、として機能させるためのプログラム。
【０１７９】
［９］［８］に記載のプログラムを記憶したコンピュータ読み取り可能な記憶媒体。
【符号の説明】
【０１８０】
１，１０…クライアント装置、１１，２１…記憶部、１１ａ，２１ａ，２１ａ’…閲覧情報、１２…履歴更新部、１３…要求処理部、２０…サーバ装置、２２…閲覧情報更新部、２３…応答処理部、３０…コンピュータネットワーク、４０…移動通信網。
【図１】
0005602323.tif 000002
【図２】
0005602323.tif 000003
【図３】
0005602323.tif 000004
【図４】
0005602323.tif 000005
【図５】
0005602323.tif 000006
【図６】
0005602323.tif 000007
【図７】
0005602323.tif 000008
【図８】
0005602323.tif 000009
【図９】
0005602323.tif 000010
【図１０】
0005602323.tif 000011
【図１１】
0005602323.tif 000012
【図１２】
0005602323.tif 000013
【図１３】
0005602323.tif 000014